(57)【要約】【課題】  携帯電話機において、初期状態に表示器に表示される複数の機能を使用者が任意に選択、設定できるようにする。【解決手段】初期状態において表示器２に表示される複数の機能を、操作部１０の操作により多数の機能から任意に選択して記憶するメモリ１１を設け、このメモリ１１に記憶された複数の機能を初期状態において表示器２に表示し、表示された複数の機能から１つを選択して選択された機能を動作させるようにする。【選択図】  図２
2006024970.tif 000002
【特許請求の範囲】
【請求項１】
初期状態において表示器に表示される複数の機能を、操作部の操作により多数の機能から任意に選択して記憶するメモリを設け、初期状態において、前記メモリに記憶された前記複数の機能を前記表示器のそれぞれの表示部分に表示し、操作部の操作により前記表示された複数の機能から１つを選択して、前記選択された１つの機能を実行するように構成したことを特徴とする携帯電話機。
【請求項２】
初期状態において表示器に表示される複数の機能を、操作部の操作により多数の機能から任意に選択して記憶する第1のメモリと、初期状態において表示器に表示される複数の機能を使用頻度の多いものから順に自動的に選択して記憶する第2のメモリを設け、前記第1、第2のメモリのいずれか一方を選択して、その選択されたメモリに記憶された前記複数の機能を前記表示器のそれぞれの表示部分に表示し、操作部の操作により前記表示された複数の機能から１つを選択して、前記選択された１つの機能を実行するように構成したことを特徴とする携帯電話機。
【請求項３】
初期状態において表示器に表示される表示画面をｍ列、ｎ行に分割してｍ×ｎ個の表示部分で構成し、これらの表示部分にそれぞれの機能を表すアイコンを表示するように構成した請求項１又は２記載の携帯電話機。
【請求項４】
前記多数の機能を階層別にそれぞれ整理してそれぞれの機能にそれを特定する番号を付すと共に、これらの番号を表示器に形成した前記表示部分の番号に対応させて前記メモリに記憶し、初期状態において、前記メモリに記憶された内容を読み出し、前記表示器の前記表示部分に対応する機能を表示できるように構成した請求項１又は２記載の携帯電話機。
【発明の詳細な説明】
【０００１】
【発明が属する技術分野】
【０００２】
【従来の技術】
近年、携帯電話機は、単に電話通信できるというだけでなく、インターネット、電子メール、ゲーム、電卓、スケジュール帳など、多くの機能を備えている。そして、これらの機能を実現するために、更に、電話通信そのものを例にとっても、着信音の選択、着信音量の調整、振動による着信報知の選択、受話音量の調節、送話音量の調節、その他、多くの機能を選択、調整する必要があり、これらの機能も非常に多く備えられている。
そのため、従来の携帯電話機でも、これらの多くの機能から１つを選択したり、調整したりするのを容易にするために、これらの機能を階層別に整理し、初期状態において、先ず、上位の階層の機能が複数表示され、そこで１つを選択すると、その選択された１つの機能に関連する次の階層の機能が次に表示され、更に、ここで１つを選択すると、更に次の階層の機能が表示されるというように、順次下位の階層の機能が表示され、そこで選択可能になるというように構成されている。
【０００３】
【発明が解決しようとする課題】
しかしながら、前記従来の携帯電話機では、前記機能を階層別に整理したり、それらをどのような順序で表示し、選択できるようにしたりするかは、いずれも製造業者、あるいは、販売業者が決定し固定しており、携帯電話機の使用者自身で変更することは全く不可能なものであった。
したがって、携帯電話機の使用者は、常時よく使う機能が上位の階層になかった場合、その都度、上位階層からその機能が存在する下位階層まで同じ表示、選択を何回も繰り返す必要があり、少し使用しないで、忘れた場合には、前記よく使う機能でも、それを表示させるのに、あれこれ操作を繰り返したり、やり直したりする必要があり、非常に使用しづらいものであった。
本発明は、以上のような従来の問題点を解決するものであり、簡単な構成で、使用者が任意に初期状態において表示器に表示できる複数の機能を選択、設定できる優れた携帯電話機を提供することを目的とするものである。
【０００４】
【課題を解決するための手段】
本発明は、初期状態において表示器に表示される複数の機能を、操作部の操作により多数の機能から任意に選択して記憶するメモリを設け、初期状態において、前記メモリに記憶された前記複数の機能を前記表示器のそれぞれの表示部分に表示し、操作部の操作により前記表示された複数の機能から１つを選択して、前記選択された１つの機能を実行するように構成した。
この構成により、使用者は、任意に初期状態において表示器に表示する複数の機能を選択、設定することができ、よく使用する機能を選択、設定することによって、そのよく使用する機能を操作性よく、素早く簡単に操作することができる。また、本発明は、初期状態において表示器に表示される複数の機能を、操作部の操作により多数の機能から任意に選択して記憶する第1のメモリと、初期状態において表示器に表示される複数の機能を使用頻度の多いものから順に自動的に選択して記憶する第2のメモリを設け、前記第1、第2のメモリのいずれか一方を選択して、その選択されたメモリに記憶された前記複数の機能を前記表示器のそれぞれの表示部分に表示し、操作部の操作により前記表示された複数の機能から１つを選択して、前記選択された１つの機能を実行するように構成した。
この構成により、使用頻度の大きいものを優先的に使用することもでき、使用者にとって非常に有利になる。
また、本発明は、初期状態において表示器に表示される表示画面をｍ列、ｎ行に分割してｍ×ｎ個の表示部分で構成し、これらの表示部分にそれぞれの機能を表すアイコンを表示するように構成した。
この構成により、前記機能がアイコンで表示され分かりやすくなると共に、ナビゲーションキーを用いて、前記分割された表示部分を一気に選択し、その機能を実行することができるようになる。
また、本発明は、前記多数の機能を階層別にそれぞれ整理してそれぞれの機能にそれを特定する番号を付すと共に、これらの番号を表示器に形成した前記表示部分の番号に対応させて前記メモリに記憶し、初期状態において、前記メモリに記憶された内容を読み出し、前記表示器の前記表示部分に対応する機能を表示できるように構成した。
この構成により、表示器に形成した表示部分の番号と、そこに表示させたい機能の番号を対応させるだけで、任意に初期状態において表示器に表示される表示を選択、設定することができ、その選択、設定が非常に容易であるという作用を有する。
【０００５】
【発明の実施の形態】
以下、本発明の実施の形態について、図面を参照しながら詳細に説明する。
図１は、本発明の一実施の形態における携帯電話機の概略正面図、図２は、同携帯電話機の電気的な概略ブロック図、図３は、同携帯電話機の多数の機能を説明する図、図４、図５は、同携帯電話機の表示器における表示の一例を示す図である。
図１、図２において、１は筐体、２は表示器、３は上下左右、斜め横方向などに操作可能なナビゲーションキー、４は電源のオンオフ、オンフック、オフフック、その他の機能を実行する機能キー、５は電話番号、文字、記号等を入力するテンキー、６はアンテナ、７は無線装置部、８は制御部、９は音声回路部、１０はナビゲーションキー３、機能キー４、テンキー５等を備えた操作部、１１はメモリである。
前記実施の形態において、携帯電話機は、通常の電話のほか、インターネット、電子メール、ゲーム、スケジュール帳、その他多くの機能を実行可能なように構成されている。そして、これらの機能は、図３に示すように、階層別に整理され、それぞれの機能にその機能を特定する番号が付されている。ここで、前記番号は、メモリなどに登録された場合、そのアドレスの番号であっても良い。
このように、前記実施の形態によれば、多くの機能を実行可能に構成され、それらの機能は階層別に整理されている。そして、電源を投入し、電話の待ち受け状態にある、あるいは、最初に何らかの機能を選択したい、いわゆる、初期状態では、表示器における表示が、図４に示すように、予め製造者が決定した最上位の階層の機能が複数表示されるように構成されている。
すなわち、前記実施の形態では、初期状態において、表示器２の表示画面が３列、３行に分割され、合計３×３＝９個の表示部分が形成されている。そして、この分割された９個の表示部分にそれぞれ最上位の階層の機能を表すアイコンが表示されるように構成されている。
したがって、下位の機能を実行したい場合には、その下位の機能をカバーしている最上位の機能から順に下位の機能を選択、表示し、希望の機能が表示された段階で、その希望の機能を選択し、決定することによって、その機能を実行することができる。
たとえば、前記実施の形態において、機能Ａ１１２を実行したい場合には、その機能Ａ１１２をカバーする最上位の機能Ａ１が、初期状態において、既に、図４に示すように表示されているので、ここでナビゲーションキー３を操作して機能Ａ１を選択、決定する。すると、この選択、決定によって、図４に示す表示は、次の階層の機能Ａ１１、Ａ１２・・の表示に切り換わる。したがって、ここで、更にナビゲーションキー３を操作し、機能Ａ１１を選択、決定する。このようにすると、次に、機能Ａ１１１、Ａ１１２，Ａ１１３・・が表示されるので、ここで実行したいＡ１１２の機能を選択、決定すれば、前記実行したいＡ１１２の機能が実行される。
このように、初期状態において、表示されている最上位の機能から希望する機能をカバーする機能を選択、決定し、順次下位の機能に以降すれば、希望の機能が表示されるので、そこで希望の機能を選択、決定し、希望の機能を実行することができる。
ところで、前記実施の形態では、このような機能に加えて、更に、次の機能を備えている。すなわち、操作部１０において、予め定めたキーを操作すると、初期状態における表示器２の表示を変更可能な状態になり、初期状態において表示器２に表示する機能を、操作部１０の操作によって任意に選択、設定できるように構成されている。そして、ここで選択、設定された機能は、前記製造者が予め設定した機能とは別にユーザメモリに登録し、任意に呼出して使用できるように構成されている。
以下、このことについて、図６に示すフローチャートを用いて、より詳細に説明する。
先ず、ステップ６０１において、操作部１０を用いて、予め定めたキーを操作すると、それが制御部８で検知され、次のステップ６０２において、初期状態における表示器２の表示を変更可能な、いわゆる、ユーザメモリ書換モードになる。この状態で、ステップ６０３に示すように、予め製造者がメモリに設定、登録した階層にしたがって順次希望の機能を表示させ、それを選択し、ステップ６０４において、決定すると、次のステップ６０５において、その決定された機能が初期状態において表示されるべき機能としてユーザメモリに書換えられ、登録される。
したがって、希望する機能を前記階層にしたがって順次表示し、選択、決定することによって、その決定された機能をそれぞれ初期状態において表示される機能として、製造者が予め設定、登録しているメモリとは別にユーザメモリに設定、登録することができる。
なお、初期状態における表示器２の表示を変更可能な状態では、図示していないが、表示されている機能を選択し、予め定めたキーを操作することによって、その機能を初期状態での表示から削除することができるようにも構成されている。したがって、初期状態において表示したい機能は、この削除した表示部分を利用して最大９個まで選択、設定することができる。
選択、設定した機能の表示場所については、ナビゲーションキー３を用いて、希望の表示部分に任意に移動させることができるように構成されており、したがって、前記実施の形態では、図５に示すように、任意に希望する機能を初期状態における表示器２の表示とすることができ、この表示から直接希望の機能を選択して、その選択された機能を実行させることができる。
また、前記実施の形態では、図３に示すように、各機能が階層的に整理され、それぞれの機能にその機能を特定する番号が付されている。そして、表示器２の表示部分にも、それぞれそれを特定する番号が付されているため、初期状態における表示器２の表示を変更可能な前記状態において、予め定めたキーを操作すると、その後の操作で、表示器２の各表示部分にどの機能を初期状態における表示器２の表示として割り当て登録するか、前記番号の対応でメモリ１１に登録できるように構成されている。
したがって、前記実施の形態によれば、メモリー１１に初期状態における表示をどの機能にするか、取扱説明書等を用いて、その機能の番号を表示器２の表示部分の番号に対応して登録することもできる。
このように、前記実施の形態によれば、図６に示すステップ６０１において、予め定めたキーを操作し（ステップ６０１のY）、ステップ６０２において、ユーザメモリ書換モードにすれば、その後の操作で、ユーザメモリに登録された初期状態における表示をどのような機能にするか、ユーザメモリや予め製造者において登録されたメモリから各機能を読み出し、任意に選択、決定して、次のステップ６０５において、それをユーザメモリに書換え、登録することができる。ステップ６０５において、ユーザメモリの書換え、登録が完了すると、次のステップ６０６で、ユーザメモリが直前に使用したメモリとして記憶される。
そして、前記実施の形態によれば、更に、図示していないが、実行された機能の頻度を計測し、その頻度の大きいものから順に予め定めた数の機能を表示器２に表示すべく、その情報を自動的に記憶しておく頻度情報メモリを有し、その頻度情報メモリを読み出すことによって、前記予め定めた数の機能を前記表示器2に表示できるようにも構成されている。
ステップ６０６における直前に使用したメモリとしては、製造時においては、製造時の機能をそのまま記憶したメモリが記憶されているが、ステップ６０５において、ユーザメモリの書換、登録を行った場合には、前述したように、ユーザメモリが記憶される。そして、以下説明するように、ステップ６１０において、使用するメモリを切替え、変更した場合には、その切替え、変更されたメモリがそれぞれステップ６０６において直前に使用したメモリとして記憶される。以下、このことについて詳細に説明する。
ステップ６０１において、予め定めたキーを操作しなかった場合（ステップ６０１のN）には、ステップ６０７において、読み出しモードになり、次のステップ６０８において、ステップ６０６で記憶された直前に使用したメモリ、すなわち、ユーザメモリ、頻度情報メモリ、もしくは、製造時の機能をそのまま記憶したメモリのいずれか一つが読み出され、その表示に基づいてそれぞれの操作を開始し、実行、中断、終了できるようになる。そして、次のステップ６０９で予め定めたそれぞれの所定のキーを操作すれば（ステップ６０９のY）、ステップ６１０に移行し、ここで、使用するメモリが、その操作したキーに応じて、ユーザメモリ、頻度情報メモリ、もしくは、製造時の機能をそのまま記憶したメモリのいずれか一つに切替えられ、次のステップ６０６において、前記選択されたメモリが直前に使用されたメモリとして記憶される。
機能表示を変更したくない場合には、ステップ６０９において、予め定めた前記キーを操作しないで、そのまま放置しておくか、あるいは、別のキーを操作する（ステップ６０９のN）ことによって、直接ステップ６０６に移行し、ここで、前記使用していたメモリがそのまま直前に使用されたメモリとして記憶されることになり、ステップ６０８において、同じメモリを呼出し、機能表示を変更しないことになる。
以上説明したように、本実施の形態によれば、ユーザメモリに使用者の好みに応じた初期状態における機能を自由に設定、登録することができ、製造者が予め登録した機能と共に、これらをうまく使い分けて使用することができ、使用者にとっては、非常に便利なものにすることができる。
なお、ユーザメモリや頻度情報メモリは、改めて別に設ける必要はなく、製造者が予め機能を登録したメモリの一部を用いて構成してもよいことは言うまでもないことである。また、実施の形態では、ユーザメモリ、頻度情報メモリに、それぞれ表示器で表示できる全ての表示部分の数（実施の形態では９）の機能をそれぞれ登録し、これらをそれぞれ別々に表示するように構成しているが、一方を前記数より少なくし、その少なくした分を他方で補って両方で一度に表示器で表示できる全ての表示部分の数だけの機能を登録するように構成してもよい。このように構成した場合には、たとえば、ユーザメモリで設定登録できる機能数を６、頻度情報で自動登録できる機能を３として、合計で９の機能を、ユーザメモリに登録することも可能である。
【０００６】
【発明の効果】
以上説明したように、本発明は、初期状態において表示器に表示される複数の機能を、操作部の操作により多数の機能から任意に選択して記憶するメモリを設け、初期状態において、前記メモリに記憶された前記複数の機能を前記表示器のそれぞれの表示部分に表示し、操作部の操作により前記表示された複数の機能から１つを選択して、前記選択された１つの機能を実行するように構成したものであり、使用者は、任意に初期状態において表示器に表示する複数の機能を選択、設定することができ、よく使用する機能を初期状態において表示する機能として選択、設定しておくことによって、よく使用する機能を操作性よく、素早く簡単に操作することができるという効果を有する。
【図面の簡単な説明】
【図１】本発明の一実施の形態における携帯電話機の概略正面図
【図２】本発明の一実施の形態における携帯電話機の電気的な概略ブロック図
【図３】本発明の一実施の形態における携帯電話機の多数の機能を説明する図
【図４】本発明の一実施の形態における同携帯電話機の表示器における表示の一例を示す図
【図５】本発明の一実施の形態における同携帯電話機の表示器における表示の他の例を示す図
【図６】本発明の一実施の形態における同携帯電話機の動作を説明するフローチャート
【符号の説明】
１  筐体
２  表示器
３  ナビゲーションキー
４  機能キー
５  テンキー
６  アンテナ
７  無線装置部
８  制御部
９  音声回路部
１０  操作部
１１  メモリ
【図１】
2006024970.tif 000003
【図２】
2006024970.tif 000004
【図３】
2006024970.tif 000005
【図４】
2006024970.tif 000006
【図５】
2006024970.tif 000007
【図６】
2006024970.tif 000008